(57)【特許請求の範囲】
【請求項１】
画像を読み取り、画像データとして入力する画像入力手段を有する画像入力装置において、
前記画像データによる画像を入力画像として記憶する記憶手段と、
前記入力画像の履歴情報を作成する履歴情報作成手段と、
前記入力画像を縮小処理し、処理した縮小画像による画像ログを前記記憶手段に格納する縮小処理手段と、
予め管理が必要な画像データを前記縮小画像と同じ倍率で縮小し、前記記憶手段に管理画像として登録した上で前記画像ログと比較する比較手段と、
前記装置を操作するための操作手段と、
前記操作手段の操作者側を撮像する撮像手段と、
を備え、
前記撮像手段は、前記操作手段からの画像入力指示に応じて前記操作手段周辺の撮像を行い、
前記記憶手段は前記撮像手段によって撮像された操作者画像と、前記縮小画像と、前記履歴情報とを関連付けて記憶し、
前記比較手段は、前記管理画像と前記画像ログの一致が確認されなかった場合、前記記憶手段に記憶されている前記操作者画像を破棄することを特徴とする画像入力装置。
【請求項２】
請求項１記載の画像入力装置において、
前記記憶手段に記憶された履歴情報と操作者画像を表示する表示手段が備えられていることを特徴とする画像入力装置。
【請求項３】
請求項２記載の画像入力装置において、
前記表示手段に表示された操作者画像から前記履歴情報を検索する履歴情報検索手段が備えられていることを特徴とする画像入力装置。
【請求項４】
請求項２記載の画像入力装置において、
前記表示手段に表示された履歴情報から前記操作者画像を検索する操作者画像検索手段が備えられていることを特徴とする画像入力装置。
【請求項５】
請求項４記載の画像入力装置において、
前記操作者画像検索手段は前記記憶手段に記憶されている操作者画像の履歴を検索し、
前記表示手段は前記検索された操作者画像の履歴を表示することを特徴とする画像入力装置。
【請求項６】
請求項１ないし５のいずれか１項に記載の画像入力装置と、
前記画像入力装置から入力された画像を記録媒体上に印字出力する画像形成手段と、
を備えていることを特徴とする画像形成装置。
【発明の詳細な説明】
【技術分野】
【０００１】
本発明は、スキャナ、複写機、ファクシミリ装置等で入力される電子画像の漏洩防止などのセキュリティ機能を備えた画像入力装置及び画像形成装置に関する。
【背景技術】
【０００２】
従来から、文書の外部漏洩を防ぐため、複写機等の画像を入力する装置では、スキャナから画像が読み取られるたびに画像ログと呼ばれる縮小画像をＨＤＤ等の記憶手段に保持することが行われている。このような機能を備えた装置に関する技術として例えば特許文献１ないし３に記載された発明が公知である。
【０００３】
このうち特許文献１には、ディジタル方式の複写装置あるいはファクシミリ機能を備えた複合複写装置において、該複写装置あるいは複合複写装置のスキャナ使用時にオリジナルの画像を電気的または磁気的手段により装置内部のセキュリティユニットに残し、その画像は縮小して残され、かつ装置内部に残す画像は、外部から入力される個人を特定する情報及び複写装置あるいは複合複写装置のスキャナ使用時の日時と共に記録され、かつ、装置内部に残した画像を用紙に出力する場合は、一枚の用紙に複数の画像を作成して出力するセキュリティ機能付複写装置が記載されている。
【０００４】
また、特許文献２には、複数のアプリケーション機能を搭載した画像形成装置であって、前記複数のアプリケーション機能をメモリ、ハードディスクを共有資源として利用可能とするように設計されたＡＳＩＣを搭載し、所定の監視領域からの赤外線を検出する赤外線検出手段と、前記所定の監視領域を撮像する撮像手段と、からなる防犯ユニットを具備し、前記撮像手段により撮像した前記所定の監視領域の画像データを前記ハードディスクに蓄積し、さらには、前記ハードディスクに蓄積された前記画像データを印刷し、あるいは、前記ハードディスクに蓄積された前記画像データを、公衆回線を介して接続される他の出力装置から出力、または、サーバに転送して蓄積させる機能を有する画像形成装置が記載されている。
【０００５】
更に、特許文献３には、画像データに従って転写シートに画像を形成する画像形成手段と、該画像形成手段の制御を行う制御手段と、ネットワークを介して外部装置と情報の授受を行う通信手段と、監視する領域の画像を撮像する撮像手段と、前記制御手段を監視モードに移行させるモード変更手段とを備え、前記制御手段が、前記モード変更手段によって監視モードに移行された場合に、前記撮像手段を作動させ、当該撮像手段によって撮像された画像データを前記通信手段によって前記外部装置へ送信させる監視制御手段を有する監視機能を備えた画像形成装置が記載されている。
【特許文献１】特許第３３５６２３０号公報
【特許文献２】特許第３７４５６６３号公報
【特許文献３】特開２００３−１５３２４３号公報
【発明の開示】
【発明が解決しようとする課題】
【０００６】
前述のように従来では画像ログを縮小して装置内部に蓄積するが、このとき例えば特許文献１記載の発明では、画像を入力した個人の特定にＩＤカードやキーボードで入力したＩＤを用いている。そのため、管理者はこの個人を特定する情報（ＩＤ）と画像ログを関連付けて表示装置に表示することにより、どの文書を誰が入力したかを確認できる。この機能は文書を漏洩させた個人を特定するのに利用できる。
【０００７】
しかし、このような方式であると他人のＩＤカードを用い、あるいはキーボードから他人のＩＤを入力すると、機械側はＩＤのみで判断するため、他人に「なりすまし」て不正を行うことが可能であった。そのため、他人に「なりすまし」て情報を取得することが可能であり、情報漏洩防止に問題があった。
【０００８】
そこで、本発明が解決しようとする課題は、コピー画像の情報漏洩防止等のセキュリティ強化を図ることができるようにすることにある。
【課題を解決するための手段】
【０００９】
前記課題を解決するため、第１の手段は、画像を読み取り、画像データとして入力する画像入力手段を有する画像入力装置において、前記画像データによる画像を入力画像として記憶する記憶手段と、前記入力画像の履歴情報を作成する履歴情報作成手段と、前記入力画像を縮小処理し、処理した縮小画像による画像ログを前記記憶手段に格納する縮小処理手段と、予め管理が必要な画像データを前記縮小画像と同じ倍率で縮小し、前記記憶手段に管理画像として登録した上で前記画像ログと比較する比較手段と、前記装置を操作するための操作手段と、前記操作手段の操作者側を撮像する撮像手段とを備え、前記撮像手段は、前記操作手段からの画像入力指示に応じて前記操作手段周辺の撮像を行い、前記記憶手段は前記撮像手段によって撮像された操作者画像と、前記縮小画像と、前記履歴情報とを関連付けて記憶し、前記比較手段は、前記管理画像と前記画像ログの一致が確認されなかった場合、前記記憶手段に記憶されている前記操作者画像を破棄することを特徴とする。
【００１０】
第２の手段は、第１の手段において、前記記憶手段に記憶された履歴情報と操作者画像を表示する表示手段が備えられていることを特徴とする。
【００１１】
第３の手段は、第２の手段において、前記表示手段に表示された操作者画像から前記履歴情報を検索する履歴情報検索手段が備えられていることを特徴とする。
【００１２】
第４の手段は、第２の手段において、前記表示手段に表示された履歴情報から前記操作者画像を検索する操作者画像検索手段が備えられていることを特徴とする。
【００１３】
第５の手段は、第４の手段において、前記操作者画像検索手段は前記記憶手段に記憶されている前記操作者画像の履歴を検索し、前記表示手段は前記検索された操作者画像の履歴を表示することを特徴とする。
【００１４】
第６の手段は、第１ないし第５のいずれかの手段に係る画像入力装置と、前記画像入力装置から入力された画像を記録媒体上に印字出力する画像形成手段とを備えた画像形成装置を特徴とする。
【００１６】
なお、後述の実施形態では、画像入力手段はスキャナユニット１０６に、画像入力装置はスキャナ部１０１に、記憶手段は画像蓄積制御部２０５及びＨＤＤ２０８に、操作手段は操作部１１０（タッチパネル２２４）に、撮像手段はカメラ１１１に、表示手段は操作部１１０（ＬＣＤ２２３）に、履歴情報作成手段、画像履歴検索手段、撮像画像検索手段、及び比較手段は画像処理ボード２０１上のＣＰＵ２０２に、画像形成手段はレーザ記録部１０２（用紙搬送部１０７、レーザ書き込みユニット１０８及び電子写真プロセス部１０９）に、画像形成装置はディジタル複写機１００にそれぞれ対応する。
【発明の効果】
【００１７】
本発明によれば、撮像手段によって撮像された操作者の画像を画像入力指示が行われた画像の履歴情報と共に記憶するので、これらの画像と履歴情報をセキュリティ処理に使用することが可能となり、コピー画像の情報漏洩防止等のセキュリティ強化を図ることができる。
【発明を実施するための最良の形態】
【００１８】
以下、図面を参照し、本発明の実施形態について説明する。
【００１９】
図１は、本発明の実施形態に係るディジタル複写機の概略構成を示す図である。図１において、ディジタル複写機１００はスキャナ部１０１、レーザ記録部１０２、及び後処理部１０３から大略的に構成されている。スキャナ部１０１では読み取り対象となる画像を光学的に読み取り、読み取った画像データに基づいてレーザ記録部１０２で画像の形成及び用紙への印字を行い、後処理部１０３で出力紙揃え、ステープル、パンチ穴の処理が行われる。
【００２０】
スキャナ部１０１は透明ガラス体の原稿台１０４、原稿台１０４の上面の原稿を給送する自動両面原稿送り装置１０５（以下、ＲＡＤＦと称す。）、原稿台１０４の上面に載置された原稿の画像を読み取るスキャナユニット１０６によって構成されている。スキャナ部１０１において光学的に読み取られた画像データは、レーザ記録部１０２に出力される。ＲＡＤＦ１０５は図示しない原稿トレイから原稿台１０４を経由して図示しない排出トレイに至る片面原稿給送路、及びスキャナユニット１０６による片面の画像の読み取りが完了した原稿の表裏面を反転して再度原稿台１０４に導く両面原稿給送路を有し、片面、両面の原稿のいずれにも対応できる。
【００２１】
スキャナユニット１０６は原稿をランプで照明し、原稿からの反射光をレンズ、ミラー等の光学系を介して光電変換素子の受光面に結像させる。光電変換素子は原稿の画像面における反射光を電気信号に変換し、後述する画像処理部に出力する。レーザ記録部１０２は用紙を搬送する用紙搬送部１０７、レーザ書き込みユニット１０８及び電子写真プロセス部（画像形成部）１０９を備えている。用紙搬送部１０７は用紙の両面に画像を形成する両面複写モード時、定着ローラを通過した用紙の表裏面を反転して再度電子写真プロセス部に導く副搬送路を備えている。
【００２２】
レーザ書き込みユニット１０８は画像処理部から供給される画像データに基づいてレーザ光を照射する半導体レーザを備え、この半導体レーザから照射されたレーザ光をミラーやレンズ等の書き込み光学系を通して電子写真プロセス部１０９の感光体ドラム表面に照射する。感光体ドラム表面に静電潜像が形成され、現像装置からトナーが感光体ドラム表面に供給されることにより、前記静電潜像にトナーが付着し、トナー画像として顕像化される。
【００２３】
顕像化されたトナー画像は用紙搬送部１０７から導かれた用紙上に転写され、その後、定着ローラにより加熱及び加圧を受け、トナー画像が溶融して用紙の表面に定着される。このように用紙に書き込みが終了した後、後処理部１０３にて１部毎に出力用紙が揃えられ、ステープル、パンチ穴の処理が行われ、トレイに排出される。なお、図１では、画像形成手段として電子写真方式で画像を形成するディジタル複写機１００を例示しているが、その他、インクジェット方式、熱転写方式、活字印刷方式などの公知の画像形成技術を使用した画像形成装置であってもよいことは言うまでもない。
【００２４】
操作部１１０はＬＣＤ２２３及びタッチパネル２２４を有し、ＬＣＤ２２３で表示された操作キーの位置に対応するタッチパネル２２４の入力信号がディジタル複写機１００の制御に用いられる（図２参照）。操作部１１０上に配置されたカメラ１１１は操作を行う人（操作者）の画像を取り込むために設けられている。
【００２５】
図２は、前記ディジタル複写機１００の制御構成を示すブロック図である。ディジタル複写機１００の制御部は、画像処理ボード２０１、マシンコントロールボード２３１、オペレーションパネルボード２２８、ＣＣＤボード２１０の各ボードから構成され、画像処理ボード２０１に搭載されたＣＰＵ２０２により、ユニット毎に配置されたボード２３１，２２８に搭載されたＣＰＵ２３０，２２６を介して各ユニットを構成する機器を統括して制御する。
【００２６】
すなわちディジタル複写機１００の制御部は、複写機１００の上面に設けられた操作部１１０を管理するオペレーションパネルボード２２８、ディジタル複写機１００内の各機器を管理するマシンコントロールボード２３１、光電変換素子を周辺部品と共に搭載したＣＣＤボード２１０、画像データに対して各種の画像処理を施すＣＰＵ２０２を周辺部品と共に搭載した画像処理ボード２０１によって構成されている。
【００２７】
画像処理ボード２０１には、ＣＰＵ２０２に加え、ＲＡＭ２０３、画像処理部２０４、画像蓄積制御部２０５、メモリ２０６、レーザコントロール部２０７及び通信制御２２７が搭載され、それぞれバスによって接続されている。なお、画像蓄積制御部２０５にはＨＤＤ２０８が、レーザコントロール部２０７にはレーザ書き込み部２０９が、それぞれ接続されている。また、図において細線は制御データの送受に関する接続状態を、太線は画像データの送受に関する接続状態をそれぞれ示す。
【００２８】
マシンコントロールボード２３１はＲＡＭ２２９とＣＰＵ２３０を備え、前記電子写真プロセス部１０９、読み取りスキャナ部（スキャナユニット）１０６、両面ユニット１１２、ＲＡＤＦ１０５、用紙搬送部１０７、後処理装置１０３を駆動し、あるいは制御するための制御ボードがそれぞれ接続されている。なお、ＲＡＤＦ１０５及び後処理装置１０３の制御ボードにはそれぞれＣＰＵ２２１，２２２が搭載されている。オペレーションパネルボード２２８はＲＡＭ２２７とＣＰＵ２２６を備え、操作部１１０のＬＣＤ２２３及びタッチパネル２２４が接続され、更に、カメラ１１１も前記オペレーションパネルボード２２８に接続されている。
【００２９】
ＣＣＤボード２１０には、Ａ／Ｄ変換部２１１、ＣＣＤ制御部２１２、ＣＣＤ２１３及びアナログ回路２１４が搭載され、Ａ／Ｄ変換部２１１が画像処理部２０４に接続され、また、ＣＣＤボード２１０自体は画像処理ボード２０１のバスに接続されている。
【００３０】
大略前述のように構成されたディジタル複写機１００のコピーモードにおいては、画像データは以下のようにして処理される。すなわち、ＲＡＤＦ１０５を介して原稿台に給送された原稿の画像が、スキャナユニット１０６で順次読み取られる。その際、スキャナユニット１０６内のＣＣＤボード２１０上のＣＣＤ２１３がＣＣＤ制御部２１２で駆動され、その出力信号はアナログ回路２１４でゲイン調整が行われ、Ａ／Ｄ変換部２１１から８ビットの画像データとして画像処理ボード２０１に送られる。
【００３１】
画像処理ボード２０１に送られたＣＣＤ２１３からの前記出力信号は画像処理部２０４において所定の画像処理が施された後、画像蓄積制御部２０５により、一旦メモリ２０６に蓄えられる。メモリ２０６に蓄えられた画像は、画像蓄積制御部２０５によって読み出され、例えば圧縮されてＨＤＤ２０８に格納される。また、メモリ２０６に蓄えられた画像は画像蓄積制御部２０５により読み出され、画像処理部２０４で縮小画像を生成した後、画像蓄積制御部２０５によってメモリ２０６に書き込まれる。この縮小画像はメモリ２０６から画像蓄積制御部２０５によりＨＤＤ２０８に画像ログとして格納される。これらの処理がＲＡＤＦ１０５にセットされた全ての原稿について実行される。
【００３２】
画像の読み取り終了後、ＨＤＤ２０８に格納された複数枚の画像データは画像蓄積制御部２０５により、ページ順に読み出す処理が設定部数回だけ繰り返して実行され、画像処理部２０４において所定の画像処理後、レーザコントロール部２０７を介してレーザ書き込み部１０８に供給される。レーザ書き込み部１０８では、電子写真プロセス部１０９の感光体ドラムに光書き込みを行い、前述のようにして用紙上に画像を印字（印刷）する。このディジタル複写機１００ではこのようにして一回のスキャナ読み取り動作で複数部の印刷が行える。また、各原稿の画像ログがＨＤＤ２０８に格納される。
【００３３】
本実施形態においてはこのような一連のコピー動作を行わせる操作者の画像データも画像ログと同時に記憶される。すなわち、操作部１１０のタッチパネル２２４上でコピースタートを指示すると、それをオペレーションパネルボード２２８上のＣＰＵ２２６が検知し、カメラ１１１に画像を取り込ませる。カメラ１１１は操作部１１０上に操作者に向くように取り付けられているため、コピースタートを指示した操作者を撮像し、撮像した画像を取り込むことができる。
【００３４】
ここで取り込まれた操作者の画像は画像処理ボード２０１を介してＨＤＤ２０８に格納される。このときのオペレーションパネルボード２２８上のＣＰＵ２２６の手順を図３のフローチャートに示す。図３において、タッチパネル２２４上のスタートキーの押下が検知されると（ステップ３０１）、コピー画像取り込みのスタートを画像処理ボード２０１上のＣＰＵ２０２に通知する（ステップ３０２）。その後、カメラ１１１に対して撮像指示を行い、撮像された画像を取り込ませる（ステップ３０３）。カメラ１１１によって撮像され、取り込まれた画像は画像処理ボード２０１に転送される（３０４）。これによって画像処理ボード２０１はカメラ１１１による取り込み画像を、画像蓄積制御部２０５を介してＨＤＤ２０８に格納する。以下、このようにカメラ１１１で取り込まれた画像を操作者画像と称す。この操作者画像は前記画像ログと関連付けられてＨＤＤ２０８に記憶される。
【００３５】
以上はコピーのときの処理例であるが、図２において画像出力を行わず画像データを、通信制御部２２７を介してネットワークへ送信するときにも同様に操作者画像は前記画像ログと関連付けられてＨＤＤ２０８に記憶される。
【００３６】
ＨＤＤ２０８には画像ログのテーブル参照アドレス４００が特定の位置に図４に示すように記憶されている。図５は画像ログのテーブル５００の内容を示す図である。図４のアドレスを参照してアクセスすると、アクセスしたアドレスに画像ログの情報として記憶されている。図５に示すように、情報は画像データ取り込みが操作部１１０のタッチパネル２２４によって開始されたときの日時の情報であるタイムスタンプ情報５０１、操作者画像を格納している格納先の先頭アドレスを示す操作者画像アドレス５０２、画像ログの枚数５０３、各画像ログの先頭アドレス５０４からなる。このようなテーブルを格納しているので、図４及び図５の情報を使用して操作者画像と画像ログを関連付けて参照することができる。
【００３７】
操作者画面と画像ログを確認する場合には、操作部１１０上のタッチパネル２２４を操作し、ＬＣＤ２２３の表示を画像ログ閲覧画面６００に切り替える。画像ログ閲覧画面６００の初期画面には図６に示すように日時を示すタイムスタンプ６０１と操作者画像６０２が表示される。この画面の各操作者の行をタッチして指示することにより、この操作者が入力した画像ログ７０１が図７に示すように表示される。図７は操作者に対応した画像ログ７０１を示すＬＣＤ２２３の表示例を示す図である。
【００３８】
このように操作者と画像ログ７０１を対応付けて閲覧できるようにしたので、どの人物がどのような画像を印刷、またはネットワーク送信したかを確認することができ、他人のカードを用いるなどして他人に「なりすまし」て不正が行われることを防止することが可能となる。その結果、ディジタル複写機１００に関連するコピー画像の情報漏洩防止等のセキュリティを強化することができる。
【００３９】
加えて、前もって管理が必要な画像データ（以下、管理画像と称す。）をＨＤＤ２０８に登録しておき、入力画像の画像ログと比較することにより、更に有効な効果を得ることができる。管理画像は前もってセキュリティを管理する管理者がスキャナ部１０６から画像入力してＨＤＤ２０８に登録しておくもので、画像処理ボード２０１上で画像ログと同じ倍率で縮小されている。これは画像ログと比較するためである。つまり、画像ログがＨＤＤ２０８に蓄積される毎に画像処理部２０４において既に登録されている管理画像と比較される。この動作が、操作ユニット２２５のタッチパネル２２４上でスタートのイベントを開始してから全ての画像の入力と、このときの入力画像の画像ログが全てＨＤＤ２０８に格納されるまで行われ、その結果が画像処理部２０４に保持される。画像入力終了後、画像処理ボード上のＣＰＵ２０２は画像処理部２０４に保持された比較結果をリードして一致した画像があった場合のみ、操作者画像をＨＤＤ２０８に残し、一致する画像がなかった場合には削除する処理を行う。
【００４０】
図８はこのときのＣＰＵ２０２の処理手順を示すフローチャートである。ＣＰＵ２０２は画像入力が行われたとき、メモリ２０６上に画像ログを展開する(ステップ８０１)。次に、ＨＤＤ２０８から管理画像を読み出し、メモリ２０６に展開し(ステップ８０２)、画像ログと管理画像を画像処理部２０４に転送して比較する(ステップ８０３)。画像ログと管理画像が一致しない場合は操作者画像をＨＤＤ２０８から削除する(ステップ８０７)。一致した場合他に記載されている全ての管理画像と比較する(ステップ８０５)。これらの動作を全ての操作部１１０からのスタート指示により入力された一連の画像に対する画像ログに関して繰り返す(ステップ８０６)。
【００４１】
このようにすることにより、管理が必要な画像が入力されたときのみ操作者画像が残ることになる。その結果、操作者画像の蓄積が少なくなり、記憶媒体の容量を有効に使用することができる。
【００４２】
また、前記処理により操作者画像が蓄積されない場合には、図５のテーブルの操作者画像アドレス５０２には、操作者画像がないことを示すアドレス０が書かれる。図６の画像ログ閲覧画面の初期画面を表示する際に操作者画像アドレスが０である画像ログテーブルの情報は表示しない。こうすることにより、画像ログ閲覧画面で表示される操作者画像が少なくなるので閲覧する手間を少なくすることができる。
【００４３】
以上のように、本実施形態によれば、
１）画像ログ７０１と共にその画像をスキャナ部１０６から読み込ませた人の画像６０２も蓄積できるので、入力された画像と入力した人との対応をとることが可能となる。その結果、スキャナ入力からネットワーク送信やプリント出力を行った場合の画像とその操作者との対応が取ることが可能となり、
個人の特定にカメラで撮像した画像を用い、他人のカードを用いるなどして他人に「なりすまし」て不正が行われることを防止することができる。  
２）画像をスキャナ部１０６で読み込ませた人の画像６０２から画像ログ７０１を容易に検索可能なので、注目した人物がどのような画像を取ったかを容易に確認することができる。  
３）画像ログ７０１から画像をスキャナ部１０６で読み込ませた人の画像６０２を容易に検索可能なので、管理が必要な画像をどのような人物がスキャナ入力させたのかを容易に確認することができる。  
４）管理が必要な画像が入力されたときのみ撮影画像を残すことにより、撮影画像の蓄積を少なくすることが可能となり、記憶媒体の容量を有効に使用することができる。  
５）管理が必要な画像が入力されたときのみ撮影画像を残すことにより、管理が必要な画像を入力した人物のみ注目して検索することが容易に行える。  
等の効果を奏する。
【００４４】
なお、本実施形態では、ディジタル複写機を例にとって説明しているが、本発明が特許請求の範囲に述べられた技術的事項の範囲に属する全ての画像入力装置及び画像形成装置に適用できることは言うまでもない。
【図面の簡単な説明】
【００４５】
【図１】本発明の実施形態に係るディジタル複写機の概略構成を示す図である。
【図２】図１のディジタル複写機の制御構成を示すブロック図である。
【図３】操作者の画像をＨＤＤに格納するときのオペレーションパネルボード上のＣＰＵの処理手順を示すフローチャートである。
【図４】ＨＤＤに蓄積された画像ログのテーブル参照アドレスの例を示す図である。
【図５】図４の画像ログのテーブルの内容を示す図である。
【図６】画像ログ閲覧画面の初期画面の例を示す図である。
【図７】操作者に対応した画像ログを示すＬＣＤの表示例を示す図である。
【図８】画像入力終了後、画像処理部に保持された画像を比較し、一致した画像があった場合、操作者画像をＨＤＤに残し、一致する画像がなかった場合には削除する処理の処理手順を示すフローチャートである。
【符号の説明】
【００４６】
１００  ディジタル複写機
１０１  スキャナ部
１０２  レーザ記録部
１０３  後処理部
１０５  ＲＡＤＦ
１０６  スキャナユニット
１０７  用紙搬送部
１０８  レーザ書き込みユニット
１０９  電子写真プロセス部
１１０  操作部
１１１  カメラ
２０１  画像処理ボード
２０２  ＣＰＵ
２０４  画像処理部
２０５  画像蓄積制御部
２０６  メモリ
２０８  ＨＤＤ
２１０  ＣＣＤボード
２１３  ＣＣＤ
２２８  オペレーションパネルボード
２２３  ＬＣＤ
２２４  タッチパネル
２３１  マシンコントロールボード
【図１】
0005028221.tif 000002
【図２】
0005028221.tif 000003
【図３】
0005028221.tif 000004
【図４】
0005028221.tif 000005
【図５】
0005028221.tif 000006
【図６】
0005028221.tif 000007
【図７】
0005028221.tif 000008
【図８】
0005028221.tif 000009